【事件の表示】
　特願２００５−　９１６８４「微量試料ホルダ，微量試料用センサーセット及び微量試料の検出方法」拒絶査定不服審判事件〔平成１８年１０月１２日出願公開，特開２００６−２７５５９９〕について，次のとおり審決する。
【結　論】
　本件審判の請求は，成り立たない。
【理　由】
第１　手続の経緯
　本願は，平成１７年３月２８日の出願であって， 平成２０年２月１９日付けで拒絶理由通知書が出され，同年４月２５日付けで手続補正書が提出され，同年５月３０日付けで拒絶査定がなされ，これに対して同年７月９日に拒絶査定不服審判の請求がなれるとともに，同日付けで手続補正書が提出されたものである。
　その後，当審において，平成２２年２月２４日付け（発送日：同年３月２日）で，拒絶理由の通知がされ，その応答期間中である同年４月３０日付けで手続補正書が提出されたものである。
　
第２　本願発明
　本願請求項１〜４に係る発明は，平成２２年４月３０日付け手続補正書で補正された特許請求の範囲，明細書及び図面の記載からみて，その特許請求の範囲の請求項１〜４に記載された事項によって特定されるとおりのものと認める。
　そして，その請求項２に係る発明（以下，「本願発明」という。）は，次のとおりである。
「局在化表面プラズモンを励起可能な金属微粒子層及び検出対象分子を選択的に吸着又は結合可能な分子層を直接光ファイバの端面に形成した表面プラズモンセンサーを有する光ファイバプローブと；
　両端が開口された親水性材料からなる細管中に前記検出対象分子を含む試料溶液を毛細管現象により保持でき，前記光ファイバプローブの前記表面プラズモンセンサーを毛細管現象により保持した前記試料溶液中に浸漬して，局在化表面プラズモンを用いて前記試料溶液に含まれる前記検出対象分子を検出するために使用される微量試料ホルダであって；
　前記試料溶液を保持する親水性の細管をホルダ長にカットして形成された，１０ｎＬ以上１μＬ未満の前記試料溶液を保持する微量試料ホルダとを備える；
　微量試料用センサーセット。」
　
第３　刊行物記載の事項
　これに対して，当審の拒絶の理由に引用し，本願出願前に頒布された刊行物である
特表２０００−５０４２３９号公報（以下，「刊行物１」という。），
梶川浩太郎，三井圭太，”局在プラズモン共鳴を利用したバイオセンシング”，応用物理，２００３年１２月，Vol.72，No.12，pp.1541-1544（以下，「刊行物２」という。）及び
特開平５−１８４９４９号公報（以下，「刊行物３」という。）
には，図面と共に以下の事項が記載されている。なお，下線は当審にて付記したものである。
（１）刊行物１記載の事項
（１−１）「第１図からわかるように，本発明の体液サンプリング装置には，全般的に，中空のサンプリング針１２，センサ１４および分析装置１６を含む体液サンプリング装置１０が含まれる。
  動作中（図示せず）には，
サンプリング針を使用して，都合のよい位置，たとえば指か，腿，上腕などのより神経刺激の少ない位置の皮膚を貫通する
体液は，毛管現象
針に流れ込む
通気孔３８を使用して，針への体液の流れをよくすることができ，通気孔３８は，第１図に示されるように針１２に組み込む
体液は，センサ１４と流体接触するまで針に流れ込むことができる
  
中空のサンプリング針１２は，意図した用途に適する寸法であればよい。約２５０μｍの内径を有する２６ゲージ針を使用することが好ましい。このような針は，多数の商業的供給源から簡単に入手できる。
センサ１４は，血液または他の体液中の所望のアナライトの濃度を判定する
第２図に，分析手段１６に光学情報を運ぶ光ファイバコンジット６０の端に取り付けられた，好ましい光学センサ１４を示す。
　
（１−２）Ｆｉｇｕｒｅ２には，一端が開放されたサンプリング針１２の他端に挿入された光ファイバコンジット６０が記載されている。また，通気孔３８が，サンプリング針１２の壁に開口されている。
　
（１−３）「実施例１  グルコースの検出
  本発明の実施形態を使用して，
患者の血液中のグルコースの濃度を測定することができる。
血液は，毛管現象または他の流体力学的な力によって針１２に流れ込み，グルコースセンサ１４と接触する。
センサは，膜の細孔内に固定されたグルコースオキシダーゼおよびカタラーゼからなるものとすることができる
センサ１４は，光ファイバまたは他の光学コンジット６０の端に置くことができる
　
（１−４）「上で述べたように，光ファイバ束の隣の酸素に敏感な色素膜と色素膜の上の酵素を含む膜を用いて
プローブを作る
　
（１−５）「１．（ａ）サンプリング針と，
　(ｂ）体液中の対象となるアナライトを検出する，サンプリング針に含まれるセンサと，
　（ｃ）センサからの信号を受け取って，処理する分析手段とを含む患者から体液をサンプリングするための体液サンプリング装置。」（第２頁第２〜６行[特許請求の範囲 請求項１]）
　
（１−６）「発明の背景
　血液中のアナライト，特にグルコースを正確に測定する能力は，糖尿病などの疾病の管理に重要である。」（第４頁第８〜１０行）
　
　上記摘記事項（１−４）において，「上で述べたように，光ファイバ束の隣の酸素に敏感な色素膜と色素膜の上の酵素を含む膜を用いてプローブを作る。」と記載されているから，光学ファイバコンジット６０を用いてプローブが作られることが理解される。
　上記摘記事項（１−１）において，「サンプリング針を使用して，都合のよい位置，たとえば指か，腿，上腕などのより神経刺激の少ない位置の皮膚を貫通する。血液または他の体液は，毛管現象および／または他の流体力学的な力によって針に流れ込む。」と記載されているから，サンプリング針へ，血液が毛管現象によって流れ込むものも記載されているといえる。
　
[刊行物１記載の発明]
　以上のことから，刊行物１には，次の発明（以下，「刊行物１発明」という。）が記載されていると認められる。
「膜の細孔内に固定されたグルコースオキシダーゼおよびカタラーゼからなるグルコースセンサ１４を設けた光ファイバコンジット６０からなるプローブと，
　一端が開口され，壁に通気孔３８が開口されたサンプリング針１２に，グルコースを含む血液を毛管現象により流入させ，該光ファイバコンジットからなるプローブに設けられたグルコースセンサ１４を流入した血液に接触させて，酵素反応を用いてグルコースを検出するために使用されるサンプリング針１２とを有し，
　サンプリング針内面に，血液を流入させる，
　グルコース測定装置」
　
（２）刊行物２記載の事項 
 （２−１）「　４．　光フアイバー型バイオセンサー２６）　 
 　光ファイバー型バイオセンサーを作製するにあたり，センサー部分のサイズを１００μｍ以下にすることと簡単な光学系で検出できることを目標とした。コストと安全面を配慮して光源にはレーザーではなくＬＥＤを用いた。直径５０μｍのマルチモード光ファイバー端面に金の微粒子を堆積し，その表面に検出対象となるアナライトに相補的なリガンドを修飾することにより作製した。つまり，
センサーの有効面積は直径５０μｍである
 　
信号光を測定する光学系を図３に示す。光源として用いた緑色ＬＥＤ（λ＝５２０ｎｍ）光の波長は実際の共鳴波長に近いものを選んだ。ファイバーにカップリングされた光は光カップラーを通して２分割し，一方のファイバーの先端はスプライサーを通してセンシング部分に接続した。センシング部分で散乱された戻り光はスプライサを通り，さらに２分割され光電子増倍管にて検出しロックイン検波した。
 　このように簡単なシステムであるが，以下に述べるようにバイオセンサーとしては十分な感度をもつ。 
 　まず，バイオセンサーの性能を評価するために，よく規定された試料としてオクタデカンチオール（octadecanethiol：ＯＤＴ）を用いてセンシング部分への吸着反応を検出することを試みた（図４ （ａ））。 ＯＤＴは高い密度で金表面に吸着して自己組織化単分子膜を形成する。そのため，この場合には光ファイバー端面に堆積した金微粒子表面自身をリガンドとみなすことができる。
バックグラウンド測定のためにセルに溶媒を入れて信号が安定するのを確認した後，試料溶液を注入して（矢印Ａ）信号を観察する
 　次に，
生体高分子の検出例として行ったたんぱくの一種であるアビジンの相互作用の追跡結果を図４（ｂ）示す。リガンドには強い相互作用をもつビオチンを用いた。表面をビオチンで修飾した金微粒子を端面に堆積した光ファイバーをセンシング部分として検出を行った。
試料の注入後すぐに信号が増加して数分で一定値となり，アビジンとビオチンヘの反応が終了したことがわかる
 　一般的なたんぱくのサイズは数ｎｍ〜１０ｎｍ 程度であるが，得られる信号の変化量はアナライトとリガンドの結合の平衡定数にも依存する。そのため，センサーの感度はシステムだけでなく選択したリガンドにも依存する。上述したＯＤＴやアビジンはセンサーの性能を評価するためにはよい系であるが，さまざまな系における感度の依存性を系統的に検討することが今後の課題である。」（第１５４３頁左欄第１２行〜同頁右欄末行） 
 　 
 （２−２）「５．　むすび 
 　
局在プラズモン共鳴について基本的な事項を解説し，そのバイオ技術への応用例として著者らが作製した光ファイバー型バイオセンサーについて述べた。
 　 
 （２−３）第１５４３頁　図３ 
  
  図３において，試料がセルに入っており，光ファイバーからなるセンシング部がセル内の試料に晒されている状態が図示されている。 
 　 
 （２−４）第１５４３頁　図４ 
  
  「図４　われわれの光ファイバーバイオセンサーを用いた検出結果 
 （a)オクタデカンチオール(octadecanethiol:ＯＤＴ)のセンシング部分への吸着反応の検出結果，（b)
アビジンのビオチンへの相互作用の検出結果
 　図４（b)において，時間０秒から３００秒まで，連続的に測定がなされており，矢印Ａでアビジンを含む試料溶液が添加されるまでのバックグラウンド測定では，低い一定値の信号強度であったものが，矢印Ａでアビジンを含む試料溶液が添加されと急激に信号強度が大きくなり，矢印Ｂで高い一定値の信号強度となり，アビジンの結合が検出されていることがわかる。 
 　 
 （２−５）「　われわれのバイオセンサーではリガンド分子が誘電体層として金属微小球を覆う構造となっている。また，相互作用によりアナライトがリガンド上に吸着することは，等価的に誘電体層の膜厚が増加することに対応する。このような誘電体層が金属微小球を覆った構造(シェル型構造)の場合も全体としての分極率α（λ）を解析的に求めることができる２，１０）。図２（ａ）の破線で示したのは屈折率１．５の５ｎｍ厚の誘電体層が金の微粒子を覆った際の散乱光強度である。誘電体の吸着によりその散乱光スペクトルは大きく変化する。共鳴波長Ａ＝４２０ ｎｍ に光源の波長を固定した場合の
散乱光強度を膜厚ｄに対して求め，誘電体層がない場合の散乱光強度に対する変化の割合としてプロットしたのが図２（ｂ）である。１ｎｍの誘電体の吸着により散乱光強度が５％変化する。
散乱光強度の変化を観測することにより表面への物質の吸着を高感度にモニターすることができるため，局在プラズモン共鳴をバイオセンサーに応用できるのである
 　 
（２−６）「　このようなデバイスの模式図を図１に示す。アナライト（analyte）と呼ばれる検出対象分子に対してリガンド（ligand）と呼ばれる相補的な分子を固体基板表面上に塗布し，それを試料溶液に浸漬することにより，それらの間の相互作用を検出する。
アナライトとリガンドの関係はちょうど鍵と鍵穴の関係になっており，適切なリガンドを用いるとそれはアナライト以外の分子との相互作用が弱いため吸着速度や吸着量は小さく，分子の選択的な認識を行うことができる。リガンド層へのアナライトの吸着は，光学的には表面における誘電体層の膜厚の増加に対応する。そのため，それを高い感度でリアルタイムでセンシングできると試料溶液の分析や分子間の相互作用についての議論を行うことができる。
同様の原理で，ＤＮＡ，脂質，糖，たんぱく間の相互作用を測定することが可能である
　
 [刊行物２記載の発明] 
 　以上の事項から，刊行物２には，次の発明（以下，「刊行物２発明」という。）が記載されていると認められる。 
 「セルに検出対象分子であるアビジンを含む試料溶液を入れることができ，光ファイバの端面に，金微粒子表面を検出対象分子であるアビジンと強い相互作用をもつビオチンで修飾した局在プラズモン共鳴を起こす金微粒子を堆積した ，局在プラズモン共鳴を起こすセンシング部分を設けた光ファイバーをセルに入れ， 
 　溶媒を入れたセルに，表面をビオチンで修飾した金微粒子を端面に堆積したセンシング部分を有する光ファイバーを浸漬して，局在プラズモン共鳴を励起し，連続的に光ファイバーの端面からの散乱光を検出し，バックグラウンドとなる散乱光を測定し， 
 　セルに検出対象物質であるアビジンを含む試料溶液を注入し，該セル内の溶液に浸漬させ， 
 　検出対象物質であるアビジンを含むセル内の溶液に浸漬されたセンシング部分で局在プラズモン共鳴を励起し，連続的に光ファイバーの端面からの散乱光を検出し，散乱光を測定し， 
 　前記センシング部分が溶媒を入れたセルに浸漬されている時のバックグラウンドとなる散乱光と，前記センシング部分が前記セル内の検出対象物質であるアビジンを含む溶液に浸漬されている時の散乱光の散乱光強度の変化を観測し，前記アビジンの結合を検出するための；アビジンを含む試料溶液を収容するセル。」 
 　 
 （３）刊行物３記載の事項 
 （３−１）「【００３２】図４に示す微量定容ピペット３０を使用して一定容積の水性液体試料を採取する方法について，図４及び図５を参照して説明する。先ず，本体３１の円筒部３２に液体採取部材３５を気密に嵌合させて取り付ける。通気孔３４を解放させた状態で毛細管部３６の先端を水性液体試料中に漬けると，
水性液体試料は毛管現象により毛細管部３６内を上昇する。毛細管部３６内を上昇する水性液体試料の先端が毛細管部３６の親水性表面部３８の端部にまで到達すると，それから先の毛細管部３６の表面３６ａは疎水性である（疎水性のプラスチックスが露出している）ので，水性液体試料の先端はそれより先には進行せず水性液体の上昇は停止する
　
（３−２）「【００２０】上記のような理由から，
液体採取部材１１を親水性のプラスチックスで一体に成形し，その表面全体に親水性を付与してもよい。
例えば，ナイロン，エチレン−カルボン酸系共重合体等のようにそれ自体が親水性を有するプラスチックスや，前記のような疎水性のプラスチックスに，グリセリン，エチレングリコール，ポリエチレングリコール，グリセリン脂肪酸エステル（例えば，グリセリンラウレート，グリセリンステアレートなど）等のような親水性可塑剤をブレンドしたプラスチックス組成物等を挙げることができる
 　 
第４　本願発明と刊行物１発明との対比・判断 
１．対比 
 　本願発明と刊行物１発明を対比すると， 
（１）刊行物１発明の「膜の細孔内に固定されたグルコースオキシダーゼおよびカタラーゼからなるグルコースセンサ１４を設けた光ファイバコンジット６０からなるプローブ」と，本願発明の「局在化表面プラズモンを励起可能な金属微粒子層及び検出対象分子を選択的に吸着又は結合可能な分子層を直接光ファイバの端面に形成した表面プラズモンセンサーを有する光ファイバプローブ」とは，「端面に形成したセンサを有する光ファイバプローブ」という点で共通する。
  　
（２）刊行物１発明の「一端が開口され，壁に通気孔３８が開口されたサンプリング針１２に，グルコースを含む血液を毛管現象により流入させ」について，刊行物１発明の「サンプリング針１２」，「毛管現象」，「グルコース」及び「血液」は，それぞれ本願発明の「細管」，「毛細管現象」，「検出対象分子」及び「試料溶液」に相当する。
　また，摘記事項（１−１）に「サンプリング針を使用して，都合のよい位置，たとえば指か，腿，上腕などのより神経刺激の少ない位置の皮膚を貫通する。血液または他の体液は，毛管現象および／または他の流体力学的な力によって針に流れ込む。」と記載されているように，刊行物１発明は，使用態様として，指にサンプリング針を刺す態様を含むものである。指には大きな血管はなく，指にサンプリング針を刺した場合，サンプリング針に血液が激しく流入してサンプリング針を流れることは想定できず，滲むように出血する血液が毛管現象でサンプリング針内に流れ，毛管現象により血液が保持されることは明らかである。
　そうすると，刊行物１発明の「一端が開口され，壁に通気孔３８が開口されたサンプリング針１２に，グルコースを含む血液を毛管現象により流入させ，」と，本願発明の「両端が開口された親水性材料からなる細管中に前記検出対象分子を含む試料溶液を毛細管現象により保持でき」とは，「一端が開口された細管中に検出対象分子を含む試料溶液を毛細管現象により保持でき」という点で共通する。
　
 （３）刊行物１発明の「該光ファイバコンジットからなるプローブに設けられたグルコースセンサ１４を流入した血液に接触させて，」について，血液に接触するということは，グルコースセンサが血液中に浸漬しているということに他ならない。
　他方，本願発明の「光ファイバプローブの前記表面プラズモンセンサー」は，「局在化表面プラズモンを励起可能な金属微粒子層及び検出対象分子を選択的に吸着又は結合可能な分子層を直接光ファイバの端面に形成した表面プラズモンセンサー」という特定事項からみて，光ファイバ端面に形成されているものである。したがって，本願発明の「前記光ファイバプローブの前記表面プラズモンセンサーを毛細管現象により保持した前記試料溶液中に浸漬して」とは，光ファイバプローブの端面に形成された前記表面プラズモンセンサが毛細管現象により保持した前記試料溶液中に浸漬しているものと解される。
　そうすると，刊行物１発明の「該光ファイバコンジットからなるプローブに設けられたグルコースセンサ１４を流入した血液に接触させて」と，本願発明の「前記光ファイバプローブの前記表面プラズモンセンサーを毛細管現象により保持した前記試料溶液中に浸漬して」とは，光ファイバプローブの端面に位置するセンサが試料溶液中に浸漬する点では一致しているといえるから，「前記光ファイバプローブの前記センサーを毛細管現象により保持した前記試料溶液中に浸漬して」という点で共通する。
　なお，審判請求人は，平成２２年４月３０日付け意見書第１０頁第７〜２７行において，「刊行物１には，・・・（中略）・・・しかしながら，かかる記載及び第１〜４図から解るように，センサは中空のサンプリング針に挿入されるのでも，試料溶液中に浸漬されるのでもなく，サンプリング針の終端に設けられて，試料溶液に流体接触するのです。したがって，第４の特徴事項「前記光ファイバプローブの前記表面プラズモンセンサーを毛細管現象により保持した前記試料溶液中に浸漬して」を満たしておりません。センサが試料溶液中に浸漬される場合は安定な検出ができますが，流体接触では不完全接触が生じるおそれや試料溶液の部分的な濃度ばらつきの影響を受けるおそれがあります。」と主張する。
　しかしながら，前述したように本願発明において浸漬される対象は，「光ファイバプローブの端面に形成された前記表面プラズモンセンサ」であり，また，本願発明においては，センサがどの程度の深さまで浸漬（挿入）されるのかについて特定されていない。そうすると，本願発明の「浸漬」には，刊行物１記載のように，サンプリング針の終端に設けられて，試料溶液に流体接触するものも，包含されるといえる。審判請求人の主張は，本願の図４のような「光ファイバプローブの端面に形成された前記表面プラズモンセンサ」のみならず，光ファイバプローブの先端全体を浸漬することを前提とする主張であるが，これは，特許請求の範囲と対応した主張ではないので，採用することができない。なお，仮に，本願の実施例の如く補正したとしても，光ファイバプローブの先端全体を浸漬することは，刊行物２の図３（摘記事項（２−３）参照）に記載されていることである。
　
（４）上記「第４　１．（２）」に記したように，刊行物１発明の「サンプリング針１２には，血液が保持されるものであり，サンプリングされている血液は微量であることが明らかであるから，本願発明の「微量試料ホルダ」に相当する。
　そうすると，刊行物１発明の「酵素反応を用いてグルコースを検出するために使用されるサンプリング針」と，本願発明の「局在化表面プラズモンを用いて前記試料溶液に含まれる前記検出対象分子を検出するために使用される微量試料ホルダ」とは，「前記試料溶液に含まれる前記検出対象分子を検出するために使用される微量試料ホルダ」という点で共通する。
　
（５）刊行物１発明の「サンプリング針内面に，血液を流入させる，グルコース測定装置」と，本願発明の「前記試料溶液を保持する親水性の細管をホルダ長にカットして形成された，１０ｎＬ以上１μＬ未満の前記試料溶液を保持する微量試料ホルダとを備える；微量試料用センサーセット」とは，「前記試料溶液を保持する微量試料ホルダとを備える；微量試料用センサーセット」という点で共通する。
　
（一致点）
　以上のことから，本願発明と刊行物１発明は，
「端面に形成したセンサを有する光ファイバプローブと；
　一端が開口された細管中に検出対象分子を含む試料溶液を毛細管現象により保持でき，前記光ファイバプローブの前記センサーを毛細管現象により保持した前記試料溶液中に浸漬して，前記試料溶液に含まれる前記検出対象分子を検出するために使用される微量試料ホルダであって；
　前記試料溶液を保持する微量試料ホルダとを備える；
　微量試料用センサーセット」の点で一致し，次の相違点１〜相違点３の点で相違する。
　
（相違点）
（１）相違点１
　光ファイバプローブが，本願発明では「局在化表面プラズモンを励起可能な金属微粒子層及び検出対象分子を選択的に吸着又は結合可能な分子層を直接光ファイバの端面に形成した表面プラズモンセンサーを有する光ファイバプローブ」であるのに対して，刊行物１発明では「膜の細孔内に固定されたグルコースオキシダーゼおよびカタラーゼからなるグルコースセンサ１４を設けた光ファイバコンジット６０からなるプローブ」であり，
　毛細管現象により保持した前記試料溶液中に浸漬されるものが，本願発明では「前記光ファイバプローブの前記表面プラズモンセンサー」であるのに対して，刊行物１発明では「光ファイバコンジットからなるプローブに設けられたグルコースセンサ１４」であり，
　微量試料ホルダが，本願発明では「局在化表面プラズモンを用いて前記試料溶液に含まれる前記検出対象分子を検出するために使用され」ているのに対して，刊行物１発明では，「酵素反応を用いてグルコースを検出するために使用され」ている点。
　
（２）相違点２
　細管の開口位置について，本願発明では「両端が開口され」ているのに対して，刊行物１発明では，一端は開口されているものの他端は開口されておらず，
　細管の材質が，本願発明では「親水性材料からなる」であるのに対して，刊行物１発明では，サンプリング針の材質は特定されてなく，
　細管の形成手段が，本願発明では「前記試料溶液を保持する親水性の細管をホルダ長にカットして形成された」ものであるのに対して，刊行物１発明では，かかる特定事項を具備していない点。
　
（３）相違点３
　微量試料ホルダの試料溶液の保持容積が，本願発明では「１０ｎＬ以上１μＬ未満」であるのに対して，刊行物１発明では，容積が不明な点。
　
２．相違点についての検討
（１）相違点１について
　刊行物２発明の「局在プラズモン」は，本願発明の「局在化表面プラズモン」に相当し，刊行物２発明の「金微粒子」は，金属微粒子に包含される概念である。さらに，刊行物２発明の，光ファイバ端面には，金微粒子が堆積されており，堆積により金微粒子は層となっていることは明白である。
　そうすると，刊行物２発明の「局在プラズモン共鳴を起こす金微粒子を堆積した」は，本願発明の「局在化表面プラズモンを励起可能な金属微粒子層」に相当する。 
　
　そして，刊行物２発明の「アビジン」は，本願発明の「検出対象分子」に相当し，刊行物２発明の「ビオチン」は，アビジンと強い相互作用を有するから，検出対象分子であるアビジンを選択的に吸着又は結合する分子であるといえ，このビオチンが金微粒子表面に修飾されて結合し，該ビオチンが表面プラズモン効果を利用してアビジンを検出するセンサとなっている。刊行物２発明においては，ビオチンが金微粒子表面に修飾されて結合していると特定されされているだけで，ビオチンが分子層を形成しているか明記されていないが，摘記事項（２−５）に「われわれのバイオセンサーではリガンド分子が誘電体層として金属微小球を覆う構造となっている」との記載事項を参酌すると，リガンド即ちビオチン分子は，金微粒子を覆う構造となっていると解されるから，覆われることにより「層」といえるものが，金微粒子表面に形成されていると認められる。 
　そうすると，刊行物２発明の「金微粒子表面を検出対象分子であるアビジンと強い相互作用をもつビオチンで修飾した，・・・局在プラズモン共鳴を起こすセンシング部分」は，本願発明の「検出対象分子を選択的に吸着又は結合可能な分子層を形成した表面プラズモンセンサー」に相当する。 
　以上のことを総合すると，刊行物２発明の「光ファイバの端面に，金微粒子表面を検出対象分子であるアビジンと強い相互作用をもつビオチンで修飾した局在プラズモン共鳴を起こす金微粒子を堆積した ，局在プラズモン共鳴を起こすセンシング部分」という特定事項は，本願発明の「局在化表面プラズモンを励起可能な金属微粒子層及び検出対象分子を選択的に吸着又は結合可能な分子層を直接光ファイバの端面に形成した表面プラズモンセンサーを有する光ファイバプローブ」に相当し，相違点１に記載の本願発明の具備する特定事項が刊行物２に記載されているといえる。
　
　また，刊行物２には，摘記事項（２−６）に，検出の原理について，「
アナライトとリガンドの関係はちょうど鍵と鍵穴の関係になっており，適切なリガンドを用いるとそれはアナライト以外の分子との相互作用が弱いため吸着速度や吸着量は小さく，分子の選択的な認識を行うことができる。リガンド層へのアナライトの吸着は，光学的には表面における誘電体層の膜厚の増加に対応する。そのため，それを高い感度でリアルタイムにセンシングできる試料溶液の分析や分子間の相互作用についての議論を行うことができる。
同様の原理で，ＤＮＡ，脂質，糖，たんぱく間の相互作用を測定することが可能である
検出例
糖にも適用可能
　よって，刊行物２発明において，検出対象分子（アナライト）として糖を検出すべくリガンドを変更することは，単なる設計的事項といえる。
　
　そうすると，刊行物１発明及び刊行物２発明は，共に光ファイバプローブを用いて検出対象分子を検出する発明であるという点で共通しており，グルコースを測定する刊行物１発明において，光ファイバプローブとして，糖の一種であるグルコースの検出をすべく刊行物２発明の表面プラズモンセンサーを採用することにより，相違点１に記載の本願発明の特定事項とすることは，当業者が容易になし得たことといえる。 
　
（２）相違点２について
（細管の開口位置及び材質について）
　細管の両端が開口された細管において，毛細管現象が生じることは，飲料用のストローで普段目にするように，本願出願前よりきわめて良く知られた技術的事項である。
　しかも，分析に使用する際に用いる器具においても，両端が開口された細管を親水性のものとして，毛細管現象を増大させ，試料を吸引することが本願出願前より周知の技術事項となっている。（例えば，
刊行物３（特に，摘記事項（３−１）の「毛細管部３６」，摘記事項（３−２）の「親水性の親水性プラスチック」を参照），
刊行物Ａ：特開平７−２１３９２５号公報
「【００２１】穿刺・採血チップ２００の胴部２０１，平面部２０４及び細管２０３は，一般にプラスチックスから一体成形で作ることが好ましく，このプラスチックスとしては穿刺・採血チップ２００内に収容された血液の確認を容易にするために，透明乃至半透明であることが好ましい。また，穿刺・採血チップ２００は疎水性のプラスチックスで作られたものであってもよいが，
穿刺・採血チップ２００（少なくとも細管２０３）を親水性のプラスチックスで作ると，細管２０３内への血液の流入が円滑になるので好ましい。
刊行物Ｂ：特開平６−２１０１８７号公報
「【００１７】液体採取部材１２は，
微量の水性液体（血液
【００１８】
液体採取部材１２は，親水性の材料で作られたものであっても
あってもよいが，液体採取部材１２中の水性液体試料の保持性能が優れている点で，親水性の材料で作られたもの
であることが好ましい
【００１９】親水性の材料としては，脱脂処理したガラス，
親水性プラスチックス
　そうすると，刊行物１発明において，上記周知の技術的事項を適用して，相違点２に記載の本願発明の細管の開口位置及び材質とすることは，単なる周知技術の付加にすぎない。
　
（細管の形成手段について）
　注射針の作成方法として，管を所定長さにカットして作成することは本願出願前より周知の技術的事項である。（例えば，
刊行物Ｃ：特開平５−３１７９５７号公報
　従来技術として，「【０００２】【従来の技術】
注射針は，
溶接管として
適宜長さに切断，成形して製造
刊行物Ｄ：特開２００４−７５７０８号公報
「【００８３】本発明の
注射針
押出成形機に熱硬化性樹脂，光硬化性樹脂及び熱可塑性樹脂からなる群より選択される少なくとも１種の樹脂，カーボンナノチューブの所定量及び必要な添加剤等の所定量を供給し，これらを加熱溶融しながら所定形状のダイスを通過させて管状体を成形し液体窒素等を用いて冷却，固化することで針用管状体を製造する。上記針用管状体を目的の長さにカットして
　そうすると，刊行物１発明において，サンプリング針の開口位置及び材質に上記周知の事項を適用して，両端が開口された親水性材料からなるサンプリング針とし，刊行物１記載のサンプリング針の形成手段として，管を適当な長さにカットして注射針を形成する上記周知の技術的事項を適用して，相違点２に記載の本願発明の特定事項の如くすることは，当業者が容易になし得た事といえる。
　
（３）相違点３について
　刊行物１の摘記事項（１−１）には，「中空のサンプリング針１２は，意図した用途に適する寸法であればよい。約２５０μｍの内径を有する２６ゲージ針を使用することが好ましい。このような針は，多数の商業的供給源から簡単に入手できる。 」と記載されており，商業的供給源から入手可能な約２５０μmの内径を有する２６ゲージ針が使用可能である旨が記載されている。
　注射針において，２６ゲージの針の長さは，刊行物Ｅ：特開平１１−１２８３６７号公報に「【０００８】注射針の種類は，針管の外径（ゲージ）及び長さで分類される。例えば，
一般的な皮内注射用の針はゲージが２６
長さは１３〜１９ｍｍ
　他方，刊行物２の摘記事項（２−１）に「直径５０μｍのマルチモード光ファイバー端面に金の微粒子を堆積し，その表面に検出対象となるアナライトに相補的なリガンドを修飾することにより作製した。つまり，センサーの有効面積は直径５０μｍである。」と記載されているように，刊行物２には，直径５０μｍの有効面積の微細なセンサーが記載されている。
　本願明細書の【００４１】に「試料量は光ファイバ２の端面３が浸漬できれば十分であり」と記載されているように，表面プラズモン共鳴は，センサの有効領域表面に物質が吸着することによる変化を検出しようとするものであって，センサの有効領域表面の変化しか検出しないから，かかる有効領域が試料に晒されれば検出が可能となること，そして，刊行物１発明において，サンプリング針として，内径２５０μmの本願出願前より一般的に用いられてる注射針を採用しても，刊行物２記載の直径５０μｍの局所表面プラズモンセンサをサンプリング針の端部から挿入することは十分可能な大きさであることを勘案すると，刊行物１発明に，刊行物２に記載の技術的事項を適用する際に妨げとなるような事情はない。
　そうすると，刊行物１発明において，サンプリング針として，前記本願出願前より一般的に用いられていた２６ゲージの注射針を単に採用すれば，本願発明の１０ｎＬ以上１μＬ未満の範囲に包含される前記試料溶液を保持する微量試料ホルダとなるものであって，当業者が特段の創作力を要することなく容易に案出し得たものといえる。
　
（作用効果について）
　本願発明の作用効果は，刊行物１及び刊行物２並びに上記周知の技術的事項から当業者が予測し得るものであって，格別顕著な作用効果とはいえない。
　
第５　むすび
　以上のとおり，本願発明は，本願出願前に頒布された上記刊行物１及び刊行物２に記載された発明並びに上記本願出願前より周知の技術的事項に基づいて当業者が容易に発明をすることができたものであるから，特許法第２９条第２項の規定により特許を受けることができない。
　したがって，本願は，他の請求項に係る発明について検討するまでもなく拒絶すべきものである。
　よって，結論のとおり審決する。